(57)【要約】【課題】撮影時の面白みが向上したカメラを提供する。【解決手段】カメラ１を、画像表示可能領域の全領域よりもそれぞれ面積の狭い複数の小領域Ａ１〜Ａ４が画像表示可能領域内に設定可能とされた表示部４０と、撮影済み画像の画像データを記録する画像データ記録部２０と、表示部４０に複数の小領域を設定するとともに、撮影時に一部の小領域にフレーミング中の撮像部１０の出力に基づく撮影準備画像を表示させつつ、この一部の小領域を除く他の前記小領域に画像データ記録部に記録された画像データに基づく撮影済み画像を表示させる表示制御部５２とを備え、複数の小領域は、複数のレイアウトパターンが用意され、これらのレイアウトパターンに関するデータは、レイアウトデータ記録部７０に選択可能に記録され、表示制御部５２は、複数のレイアウトパターンから選択されたレイアウトパターンに基づいて表示部４０に小領域を設定する構成とした。【選択図】図２
2008258745.tif 000002
【特許請求の範囲】
【請求項１】
画像表示可能領域の全領域よりもそれぞれ面積の狭い複数の小領域が前記画像表示可能領域内に設定可能とされた表示部と、
撮影済み画像の画像データを記録する画像データ記録部と、
前記表示部に前記複数の小領域を設定するとともに、撮影時に一部の前記小領域にフレーミング中の撮像部の出力に基づく撮影準備画像を表示させつつ、この一部の小領域を除く他の前記小領域に前記画像データ記録部に記録された画像データに基づく撮影済み画像を表示させる表示制御部と
を備え、
前記複数の小領域は、複数のレイアウトパターンが用意され、
これらのレイアウトパターンに関するデータは、レイアウトデータ記録部に選択可能に記録され、
前記表示制御部は、前記複数のレイアウトパターンから選択されたレイアウトパターンに基づいて前記表示部に前記小領域を設定すること
を特徴とするカメラ。
【請求項２】
請求項１に記載のカメラにおいて、
前記複数のレイアウトパターンは、前記小領域の数、形状及び配置位置の少なくともひとつが互いに異なるものが用意されること
を特徴とするカメラ。
【請求項３】
請求項１又は請求項２に記載のカメラにおいて、
前記撮影準備画像を表示させる領域は、前記複数の小領域から選択可能であること
を特徴とするカメラ。
【請求項４】
請求項１から請求項３までのいずれか１項に記載のカメラにおいて、
前記表示制御部は、前記撮影準備画像に基づいて撮影が行われた場合に、この撮影準備画像を表示していた小領域にこの撮影に基づく撮影済み画像を表示させるとともに、この撮影済み画像を表示した小領域を除く他の小領域に、新たな撮影準備画像を表示させること
を特徴とするカメラ。
【請求項５】
請求項１から請求項４までのいずれか１項に記載のカメラにおいて、
前記表示制御部は、前記小領域のすべてに前記撮影済み画像を表示させることができること
を特徴とするカメラ。
【請求項６】
請求項１から請求項５までのいずれか１項に記載のカメラにおいて、
前記小領域に表示された撮影済み画像から、前記表示部の画像表示可能領域の全領域に表示された表示画像に基づいて、ひとつの編集画像データを生成する画像処理部を備えること
を特徴とするカメラ。
【請求項７】
請求項６に記載のカメラにおいて、
前記画像処理部は、すべての小領域に前記撮影済み画像が表示されていない場合であっても、前記編集画像データを生成可能なこと
を特徴とするカメラ。
【請求項８】
請求項６又は請求項７に記載のカメラにおいて、
前記編集画像データに含まれる個々の撮影済み画像データは、前記画像データ記録部に記録された他の撮影済み画像データと置換可能であること
を特徴とするカメラ。
【請求項９】
請求項６から請求項８までのいずれか１項に記載のカメラにおいて、
撮影時に選択される画像データのパラメータに関する情報が記録されたパラメータ情報記録部を備え、
前記編集画像データは、前記パラメータ情報記録部に記録されたパラメータのいずれかを有し、
前記編集画像データに含まれる個々の撮影済み画像データは、前記パラメータ情報記録部に記録されたパラメータのいずれかを有するひとつの画像データとして、前記画像データ記録部に前記編集画像データとは別に記録されること
を特徴とするカメラ。
【請求項１０】
請求項９に記載のカメラにおいて、
前記編集画像データとは別に記録された個々の撮影済み画像データには、この撮影済み画像データを含む前記編集画像データのレイアウトパターンと、この撮影済み画像データの表示位置に関する情報とを関連付けた情報が含まれること
を特徴とするカメラ。
【請求項１１】
請求項９に記載のカメラにおいて、
前記編集画像データには、前記編集画像データとは別に記録された前記個々の撮影済み画像データに関する情報が含まれること
を特徴とするカメラ。
【請求項１２】
請求項９から請求項１１までのいずれか１項に記載のカメラにおいて、
前記画像データのパラメータに関する情報には、画像の大きさ、縦横比、及び、画質に関する情報の少なくともひとつが含まれること
を特徴とするカメラ。
【請求項１３】
請求項１から請求項１２までのいずれか１項に記載のカメラにおいて、
撮影済み画像データに基づいて前記レイアウトパターンを生成するレイアウトパターン生成部を備え、
このレイアウトパターン生成部によって生成されたレイアウトパターンは、前記レイアウトデータ記録部に記録されること
を特徴とするカメラ。
【発明の詳細な説明】
【技術分野】
【０００１】
本発明は、カメラに関するものである。
【背景技術】
【０００２】
カメラは、フレーミング時にスルー画と併せて撮影済みの画像の一部を表示部に表示させるものが知られている（例えば、特許文献１参照）。
【特許文献１】特開２０００−１７５１８５号公報
【発明の開示】
【発明が解決しようとする課題】
【０００３】
特許文献１のカメラは、パノラマ画像の撮影を行う際のガイドとして撮影済み画像を表示させるものであり、撮影時の面白みを向上させるものではなかった。
本発明の課題は、撮影時の面白みが向上したカメラを提供することである。
【課題を解決するための手段】
【０００４】
本発明は、以下のような解決手段により、前記課題を解決する。なお、理解を容易にするために、本発明の実施形態に対応する符号を付して説明するが、これに限定されるものではない。
請求項１の発明は、画像表示可能領域の全領域よりもそれぞれ面積の狭い複数の小領域（Ａ１〜Ａ４）が前記画像表示可能領域内に設定可能とされた表示部（４０）と、撮影済み画像の画像データを記録する画像データ記録部（２０）と、前記表示部に前記複数の小領域を設定するとともに、撮影時に一部の前記小領域にフレーミング中の撮像部の出力に基づく撮影準備画像を表示させつつ、この一部の小領域を除く他の前記小領域に前記画像データ記録部に記録された画像データに基づく撮影済み画像を表示させる表示制御部（５２）とを備え、前記複数の小領域は、複数のレイアウトパターンが用意され、これらのレイアウトパターンに関するデータは、レイアウトデータ記録部（７０）に選択可能に記録され、前記表示制御部は、前記複数のレイアウトパターンから選択されたレイアウトパターンに基づいて前記表示部に前記小領域を設定することを特徴とするカメラ（１）である。
【０００５】
請求項２の発明は、請求項１に記載のカメラにおいて、前記複数のレイアウトパターンは、前記小領域の数、形状及び配置位置の少なくともひとつが互いに異なるものが用意されることを特徴とするカメラ（１）である。
請求項３の発明は、請求項１又は請求項２に記載のカメラにおいて、前記撮影準備画像を表示させる領域は、前記複数の小領域から選択可能であることを特徴とするカメラ（１）である。
請求項４の発明は、請求項１から請求項３までのいずれか１項に記載のカメラにおいて、前記表示制御部（５２）は、前記撮影準備画像に基づいて撮影が行われた場合に、この撮影準備画像を表示していた小領域にこの撮影に基づく撮影済み画像を表示させるとともに、この撮影済み画像を表示した小領域を除く他の小領域に、新たな撮影準備画像を表示させることを特徴とするカメラ（１）である。
請求項５の発明は、請求項１から請求項４までのいずれか１項に記載のカメラにおいて、前記表示制御部（５２）は、前記小領域のすべてに前記撮影済み画像を表示させることができることを特徴とするカメラ（１）である。
請求項６の発明は、請求項１から請求項５までのいずれか１項に記載のカメラにおいて、前記小領域に表示された撮影済み画像から、前記表示部（４０）の画像表示可能領域の全領域に表示された表示画像に基づいて、ひとつの編集画像データを生成する画像処理部（５３）を備えることを特徴とするカメラ（１）である。
請求項７の発明は、請求項６に記載のカメラにおいて、前記画像処理部（５３）は、すべての小領域に前記撮影済み画像が表示されていない場合であっても、前記編集画像データを生成可能なことを特徴とするカメラ（１）である。
請求項８の発明は、請求項６又は請求項７に記載のカメラにおいて、前記編集画像データに含まれる個々の撮影済み画像データは、前記画像データ記録部（２０）に記録された他の撮影済み画像データと置換可能であることを特徴とするカメラ（１）である。
請求項９の発明は、請求項６から請求項８までのいずれか１項に記載のカメラにおいて、撮影時に選択される画像データのパラメータに関する情報が記録されたパラメータ情報記録部（６０）を備え、前記編集画像データは、前記パラメータ情報記録部に記録されたパラメータのいずれかを有し、前記編集画像データに含まれる個々の撮影済み画像データは、前記パラメータ情報記録部に記録されたパラメータのいずれかを有するひとつの画像データとして、前記画像データ記録部に前記編集画像データとは別に記録されることを特徴とするカメラ（１）である。
請求項１０の発明は、請求項９に記載のカメラにおいて、前記編集画像データとは別に記録された個々の撮影済み画像データには、この撮影済み画像データを含む前記編集画像データのレイアウトパターンと、この撮影済み画像データの表示位置に関する情報とを関連付けた情報が含まれることを特徴とするカメラ（１）である。
請求項１１の発明は、請求項９に記載のカメラにおいて、前記編集画像データには、前記編集画像データとは別に記録された前記個々の撮影済み画像データに関する情報が含まれることを特徴とするカメラ（１）である。
請求項１２の発明は、請求項９から請求項１１までのいずれか１項に記載のカメラにおいて、前記画像データのパラメータに関する情報には、画像の大きさ、縦横比、及び、画質に関する情報の少なくともひとつが含まれることを特徴とするカメラ（１）である。
請求項１３の発明は、請求項１から請求項１２までのいずれか１項に記載のカメラにおいて、撮影済み画像データに基づいて前記レイアウトパターンを生成するレイアウトパターン生成部（５４）を備え、このレイアウトパターン生成部によって生成されたレイアウトパターンは、前記レイアウトデータ記録部（７０）に記録されることを特徴とするカメラ（１）である。
なお、符号を付して説明した構成は、適宜改良してもよく、また、少なくとも一部を他の構成物に代替してもよい。
【発明の効果】
【０００６】
本発明によれば、撮影時の面白みが向上したカメラを提供できる。
【発明を実施するための最良の形態】
【０００７】
以下、図面等を参照して、本発明の実施形態をあげて、さらに詳しく説明する。なお、以下の実施形態は、カメラとしてデジタルカメラを例にとって説明する。
図１は、実施形態のデジタルカメラの構成を示すブロック図である。
図２は、図１に示すデジタルカメラを背面側からみた平面図である。
【０００８】
デジタルカメラ１は、撮像部１０、記録部２０、操作部３０、表示部４０、制御部５０、パラメータ情報記録部６０、及び、レイアウトデータ記録部７０を備えている。
撮像部１０は、デジタルカメラ１に備えられた図示しないレンズ群を通過した被写体光を電気信号に変換して、後述する画像データ生成部５１に出力する光−電気変換素子である。撮像部１０には、例えば、ＣＣＤ（Coupled Charged Device）等を使用することができる。
【０００９】
記録部２０は、撮像部１０の出力に基づいて生成された画像データを記録する画像データ記録部である。記録部２０は、例えば、フラッシュメモリ等の書換可能な記録媒体を着脱可能に装着することができるスロット部等を備えている。
【００１０】
操作部３０は、例えば、撮影者等のデジタルカメラ１のユーザ（以下、撮影者等と称して説明する）が撮影条件の設定を行う際等に操作を行う部分である。
操作部３０は、図２に示すように、例えば、レンズ群の焦点距離を変更するズームスイッチ３１、表示部４０に表示されたカーソル等を移動させるセレクタスイッチ３２、入力を確定する旨の信号を発信する決定ボタン３３等を含んでいる。
【００１１】
表示部４０は、メニュー画面、スルー画、撮影済み画像等の各種画像を表示させる部分である。本明細書において、画像には、文字等のみによって形成されるものも含まれるものとする。表示部４０には、例えば、液晶表示装置（ＬＣＤ）等を使用することができる。以下、表示部４０における画像表示可能領域の全領域をワンフレームと称して説明する。
また、本明細書において、スルー画とは、フレーミング時の撮像部１０の出力に基づいて、略リアルタイムで表示部４０に表示される画像をさすものとする。撮影者等は、スルー画を確認しながら撮影予定の画像の構図等を決定でき、スルー画は、撮影準備画像として機能する。
【００１２】
制御部５０は、上述した撮像部１０、記録部２０、操作部３０、及び、表示部４０を含む、デジタルカメラ１に備えられた各電気要素を統括的に制御する部分であり、例えば、ＭＰＵ等の演算装置を備えている。
【００１３】
制御部５０は、画像データ生成部５１、表示制御部５２、画像処理部５３、及び、レイアウトパターン生成部５４を備えている。
画像データ生成部５１は、撮像部１０から出力される電気信号に基づいて画像データを生成する部分である。表示部４０にスルー画を表示する際、画像データ生成部５１は、撮像部が出力する信号に基づいて画像データを略リアルタイムで生成し、この画像データを表示制御部５２に出力するようになっている。
また、撮影者等によって図示しないシャッタスイッチが操作されると、画像データ生成部５１は、このときの撮像部１０の出力に基づいて画像データを生成し、この画像データは、撮影済み画像データとして記録部２０に記録される。
【００１４】
表示制御部５２は、表示部４０に表示される表示画像を制御する部分であって、表示部４０にスルー画、撮影済み画像、メニュー画面等を適宜表示させるようになっている。
画像処理部５３、及び、レイアウトパターン生成部５４の機能につていは、後に説明する。
【００１５】
ここで、本実施形態のデジタルカメラ１は、表示部４０のワンフレーム内にひとつの画像を表示するノーマル表示モードと、図２に示すように表示部４０のワンフレーム内に複数の画像を同時に表示するマルチ表示モードとを選択することができるようになっている。
【００１６】
マルチ表示モードが選択された場合、表示部４０には、ワンフレーム内に複数の小領域が設定される。そして、デジタルカメラ１は、マルチ表示モードを選択して撮影を行う際には、表示部４０に設定された小領域のひとつにスルー画を表示させつつ、他の小領域に撮影済みの画像を表示させることができるようになっている。
【００１７】
以下、マルチ表示モードにおける表示部４０の表示態様について説明する。
図２に示すマルチ表示モードにおいて、表示制御部５２は、表示部４０の画像表示可能領域に対し、表示部４０のワンフレームよりも面積の狭い小領域を複数設定する。本実施形態において、表示部４０には、例えば、４つの小領域が設定されている。以下、これらの小領域のそれぞれを第１〜４小領域Ａ１〜Ａ４と称して説明する。
【００１８】
また、以下の説明において、表示部４０の上下方向、左右方向といった場合、デジタルカメラ１を通常撮影位置にして、表示部４０と撮影者等が正対したときの撮影者からみた上下方向、左右方向を意味するものとする。デジタルカメラ１の通常撮影位置とは、撮影レンズの光軸を水平にして横長の画像を撮影する際のデジタルカメラ１の位置をさすものとする。
【００１９】
第１小領域Ａ１は、表示部４０の右上の角部を含む４角形の領域である。第１小領域Ａ１は、第２小領域Ａ２及び第４小領域Ａ４に接しており、これらの境界は、左右方向（水平方向）に対してそれぞれ斜めになっている。
第２小領域Ａ２は、表示部４０の左下の角部を含む４角形の領域であり、その他の小領域Ａ１、Ａ３、Ａ４のすべてに接している。第２小領域Ａ２は、第１小領域Ａ１よりも左右方向の寸法が大きく設定されている。また、第２小領域Ａ２とその他の小領域Ａ１、Ａ３、Ａ４との境界も、左右方向に対してそれぞれ斜めになっている。
【００２０】
第３小領域Ａ３は、表示部４０の右下の角部を含む３角形の領域である。第３小領域Ａ３は、第２小領域Ａ２及び第４小領域Ａ４に接しており、これらの境界も、左右方向に対してそれぞれ斜めになっている。
第４小領域Ａ４は、表示部４０の右上の角部を含む５角形の領域であり、その他の小領域Ａ１〜Ａ３のすべてに接している。第４小領域Ａ４とその他の小領域Ａ１〜Ａ３との境界も、左右方向に対してそれぞれ斜めになっている。
【００２１】
ここで、本実施形態のデジタルカメラ１は、マルチ表示モードにおいて、上記のように表示部４０に複数の小領域Ａ１〜Ａ４を設定することができるものであるが、これらの小領域のレイアウトパターンは、図２に示すものの他にも複数の種類が用意されている。
【００２２】
図３は、図１に示すデジタルカメラに備えられた表示部に設定可能なレイアウトパターンの例を示す図である。
図３（ａ）に示すレイアウトパターンＡは、図２に示すレイアウトパターンと同じものである。
【００２３】
図３（ｂ）に示すレイアウトパターンＢは、表示部４０の略中央部に長方形の小領域Ａ５が設けられている。また、このレイアウトパターンＢは、この小領域Ａ５の各角部と表示部４０の各角部とを結ぶ４本の境界線によって、上記小領域Ａ５を囲んだ４つの台形の小領域Ａ６〜Ａ９がさらに形成されている。
【００２４】
図３（ｃ）に示すレイアウトパターンＣは、表示部４０の略中央部に楕円形状の小領域Ａ１０が設けられている。また、このレイアウトパターンＣは、この小領域Ａ１０の周囲に４つの略楕円形状の小領域Ａ１１〜Ａ１４がさらに設けられている。
これらの４つの小領域Ａ１１〜Ａ１４は、それぞれ小領域Ａ１０に対して表示位置が一部重複している。そして、中央部の小領域Ａ１０のみが楕円形状に形成され、他の小領域Ａ１１〜Ａ１４は、小領域Ａ１０の背後に表示され、楕円形状の一部が欠けたように表示される。
【００２５】
この図３（ｃ）に示すレイアウトパターンＣでは、上記５つの小領域Ａ１０〜Ａ１４の外側にも、楕円形状の小領域が設けられていない余白の領域Ａ１５が形成されているが、この余白の領域Ａ１５にも画像（スルー画及び撮影済み画像）を表示させることが可能であり、この余白の領域Ａ１５も小領域として機能する。
【００２６】
図３（ｄ）に示すレイアウトパターンＤは、左右方向及び上下方向にそれぞれ延在し、表示部４０の中央部で交差する２本の境界線によって、４つの長方形の小領域Ａ１６〜Ａ１９が形成されている。
【００２７】
このように、本実施形態のデジタルカメラ１には、小領域の形状、数、配置が互いに異なるレイアウトパターンが複数用意されている。そして、これらのレイアウトパターンにおいて、隣接する小領域の境界は、図３に示すように直線状でも曲線状でもよく、さらに、その方向も左右方向（水平方向）、上下方向（鉛直方向）に対して傾斜していてもよい。また、各レイアウトパターンに含まれる小領域の数には、特に限定はなく、その形状も、小領域ごとに異なっていてもよい。
【００２８】
以上のレイアウトパターンＡ〜Ｄに関するデータは、レイアウトデータ記録部７０に記録されており、撮影前の撮影準備段階において、撮影者等が任意のレイアウトパターンを選択して表示部４０に表示されることができる。このレイアウトデータ記録部７０及び、後述するパラメータ情報記録部６０は、デジタルカメラ１に備えられた不揮発性のメモリ装置内に設けられている。
【００２９】
また、デジタルカメラ１は、レイアウトデータ記録部７０に予め用意されているレイアウトパターンに追加して、撮影者等がレイアウトパターンを追加して生成することができる。
新規にレイアウトパターンを生成する場合、隣接する小領域の境界に相当する線（境界線）を、例えば、紙等に描き（図３（ａ）〜（ｄ）に示すような図を実際に描き）、この紙等をデジタルカメラ１によって撮影する。
制御部５０は、レイアウトパターン生成部５４が、この画像の、例えば、コントラスト比等に基づいて描かれた境界線を判定し、この判定結果に基づいてレイアウトパターンを新規に生成する。この新規に生成されたレイアウトパターンは、予め用意されたレイアウトパターンとともにレイアウトデータ記録部７０に記録され、撮影準備段階において撮影者等が選択して表示部４０に表示させることができる。
【００３０】
デジタルカメラ１は、マルチ表示モードにおいて、表示制御部５２が各小領域のそれぞれにひとつずつ画像を表示させるようになっている。以下、図２に示すレイアウトパターンを使用して画像を表示する場合について説明する。
【００３１】
図４は、図１に示すデジタルカメラに備えられた表示部の表示画面の例を示す図である。
表示制御部５２は、フレーミング時において、小領域のひとつにスルー画を表示させる。ここでは、図４（ａ）に示すように、第１小領域Ａ１にスルー画を表示させ、他の小領域Ａ２〜Ａ４は、なにも表示されないブランクの状態となっている。
【００３２】
表示制御部５２は、このスルー画に基づいて撮影が行われた場合には、スルー画を表示していた第１小領域Ａ１にこの撮影に基づく撮影済み画像を表示させ、これと併せて、図４（ｂ）に示すように、他の小領域（本実施形態では第２小領域Ａ２）に新たにスルー画を表示させる。
【００３３】
デジタルカメラ１は、以降も同様の処理を繰り返すことによって、図４（ｃ）に示すように、表示部４０に設定されたすべての小領域Ａ１〜Ａ４に、撮影済みの画像を表示させるようになっている。
【００３４】
ここで、小領域Ａ１〜Ａ４に表示されたスルー画に基づいて撮影された画像は、小領域の形状に関わらず、ノーマル表示モードにおいて画像に対して予め設定可能なパラメータと同じパラメータを有する画像データとして記録部２０に記録され、表示のみが小領域の形状にしたがって行われる。
【００３５】
画像に対して予め設定可能なパラメータとは、具体的には、画像の大きさ、縦横比、画質（圧縮率）等であり、マルチ表示モードにおいて撮影された画像も、ノーマル表示モードで撮影された画像と同様に、撮影前に撮影者等が設定したパラメータを有する。ここで、画像の大きさとは、画像データに含まれる画素（ピクセル）数を意味するものである。画像に対して設定可能なパラメータに関するデータは、パラメータ情報記録部６０に記録されている。
【００３６】
また、デジタルカメラ１は、表示部４０に表示された画像に基づいて、各小領域Ａ１〜Ａ４に表示された撮影済み画像を合成することによって、ひとつの画像データを生成することができるようになっている。ここで、表示部４０に表示された画像に基づいてひとつの画像を生成するとは、撮影者等が視認している表示部４０に表示された画像（小領域Ａ１〜Ａ４に表示された各画像、及び、各画像間に設けられた境界線）を、ひとつの画像データとして再生可能に生成することを意味する。
【００３７】
具体的に説明すると、表示部４０は、図４（ｃ）において４つの小領域Ａ１〜Ａ４のすべてに撮影済み画像が表示されており、この表示画像は、４つの独立した画像データに基づいて形成されている。
これに対し、撮影者等から画像合成を行う指示があった場合、画像処理部５３は、この図４（ｃ）に示す表示画像に基づいて、ひとつの画像データを生成する。この画像データは、編集画像データとして機能するものであり、以下、この画像データを、合成画像データと称して説明する。
【００３８】
合成画像データには、合成画像データを生成する際に用いたレイアウトパターンの種類に関する情報（例えば、レイアウトパターンＡ）、及び、各小領域Ａ１〜Ａ４に表示された個々の撮影済み画像に関する、例えば、ファイル名等の情報が含まれている。
【００３９】
合成画像データは、記録部２０に記録される。そして、合成画像データに含まれる個々の撮影済み画像データは、この合成画像データとは別に、独立した画像データとして記録部２０に記録される。
この合成画像データに含まれる個々の撮影済み画像データには、記録部２０に記録された状態で、この画像データが属する合成画像データのレイアウトパターンに関する情報（例えば、レイアウトパターンＡ等）や、表示位置（例えば、第１小領域Ａ１等）等の情報が含まれる。
【００４０】
また、合成画像データは、各小領域に表示された撮影済み画像を、他の撮影済み画像と差し替えることができるようになっている。
図４（ｃ）を用いて具体的に説明すると、この図４（ｃ）では、例えば、第１小領域Ａ１に花の画像が、第４小領域Ａ４に自動車の画像がそれぞれ表示されているが、撮影者等は、操作部３０を操作することによって画像処理部５３に命令を発し、これらの画像を入れ替えることができる。
【００４１】
図４（ｄ）は、図４（ｃ）に示す合成画像データに対し、第１小領域Ａ１の画像と第４小領域Ａ４の画像とが入れ替わった画像を示しており、第１小領域Ａ１に自動車が、第４小領域Ａ４に花がそれぞれ表示されている。
また、デジタルカメラ１は、この他にも、合成画像データに含まれる画像の一部を、記録部２０に記録された他の画像データ（合成画像データに含まれていない画像データ）と差し替えることもできるようになっている。
【００４２】
また、デジタルカメラ１は、合成画像データに含まれる撮影済み画像の表示倍率を、合成画像データに含まれる各画像ごとに変更することができるようになっている。
図４（ｅ）は、図４（ｃ）に示す合成画像データに対し、第１小領域Ａ１に表示された画像を拡大して表示したものである。
撮影者等は、合成画像データの編集モードにおいて、任意の画像を選択し、この状態でズームスイッチ３１やセレクタスイッチ３２を操作することによって表示画像を移動、拡大することによって、図４（ｅ）に示すように、表示画像を拡大又は縮小表示させることができる。
【００４３】
次に、本実施形態のデジタルカメラ１によってマルチ表示モードで撮影を行う際、及び、撮影した画像から合成画像データを生成する際の制御部の制御をフローチャートを用いて説明する。
図５は、図１に示すデジタルカメラによって合成画像データを生成する際の制御部の制御を示すフローチャートである。
以下、ステップごとに説明する。
【００４４】
（ステップＳ０１：レイアウトパターン表示）
撮影者等は、撮影前の準備段階で、メニュー画面を表示することによって、ノーマル表示モードとマルチ表示モードのいずれかで撮影を行うかを選択できる。
撮影者等によってマルチ表示モードが選択されると、表示制御部５２は、表示部４０にレイアウトパターンを表示させ、併せてこの表示されたレイアウトパターンを採用するかを問い合わせる選択表示（例えば「ＯＫ／ＮＧ」等）を表示部４０に表示させてステップＳ０２に進む。
【００４５】
（ステップＳ０２：レイアウトパターンの可否決定）
撮影者等は、現在表示されているレイアウトパターンを採用しない場合は、操作部３０のセレクタスイッチ３２を操作してカーソルを選択表示の「ＮＧ」の位置に合わせ、この状態で決定ボタン３３を操作する（以下、このような一連の動作を単に「ＮＧ」を選択する、として説明する）。制御部５０は、この入力に応じてステップＳ０３に進む。
これに対し、撮影者等は、現在表示されているレイアウトパターンを採用する場合には、選択表示の「ＯＫ」を選択する。制御部５０は、この入力に応じてステップＳ０４に進む。
【００４６】
（ステップＳ０３：レイアウトパターン変更）
制御部５０は、レイアウトデータ記録部７０に記録されている他のレイアウトパターンを読み出し、ステップＳ０２に戻って新たなレイアウトパターンを表示部４０に表示させる。撮影者等は、この新たなレイアウトパターンを採用する場合には、選択表示の「ＯＫ」を選択して決定ボタン３３を操作し、制御部５０は、この操作に応じてステップＳ０４に進む。
【００４７】
（ステップＳ０４：スルー画表示）
制御部５０は、画像データ生成部５１がフレーミング中の撮像部１０の出力に基づいてスルー画を生成し、表示制御部５２がこのスルー画を表示部４０に表示させる。ここで、表示部４０は、４つの小領域（第１〜４小領域Ａ１〜Ａ４）に分割されており、表示制御部５２は、これらの小領域のひとつ（例えば、第１小領域Ａ１）にスルー画を表示させ、これと併せてスルー画を表示する小領域が、現在スルー画を表示している小領域でよいかを問い合わせる表示（例えば「ＯＫ？」等）を表示部４０に表示させてステップＳ０５に進む。
【００４８】
（ステップＳ０５：スルー画表示位置選択）
スルー画の表示位置に問題がある場合、撮影者等は、セレクタスイッチ３２を操作することによって、スルー画表示位置を変更することができる。制御部５０は、セレクタスイッチ３２が操作された場合には、ステップＳ０６に進む。
これに対し、スルー画の表示位置を変更しない場合、撮影者等は、「ＯＫ」を選択し、制御部５０は、この操作に応じてステップＳ０７に進む。
【００４９】
（ステップＳ０６：スルー画表示位置変更）
制御部５０は、現在スルー画を表示している小領域（例えば、第１小領域Ａ１（図４（ａ）参照））と異なる小領域にスルー画を表示させる。図４（ｆ）は、図４（ａ）に示す状態からスルー画表示位置が、例えば、第４小領域Ａ４に変更された状態を示している。撮影者は、この他にもセレクタスイッチ３２を操作することによって、第２小領域Ａ２や、第３小領域Ａ３にスルー画を表示させることができる。
【００５０】
（ステップＳ０７：撮影）
撮影者等は、スルー画を確認しながら撮影画像の構図や撮影条件等を決定し、これらを決定した後、操作部３０のシャッタスイッチ（図示省略）を操作して画像を撮影する。制御部５０は、シャッタスイッチに対する入力操作に応じて画像データ生成部５１に画像データを生成させるとともに記録部２０に記録し、ステップＳ０８に進む。
【００５１】
（ステップＳ０８：撮影済み画像表示）
制御部５０は、表示制御部５２がスルー画を表示させた小領域に撮影済みの画像を表示させ（図４（ａ）参照）、ステップＳ０９に進む。
【００５２】
（ステップＳ０９：撮影画像可否決定）
制御部５０は、編集画像にこの撮影済みの画像を使用して合成画像データを生成するか否かを選択させる選択表示（例えば「ＯＫ／ＮＧ」等）を表示部４０に表示させる。
撮影者等は、表示された画像を合成画像データに使用しない場合は、「ＮＧ」を選択し、制御部５０は、この操作に応じてステップＳ１０に進む。
これに対し、撮影者は、表示された画像を用いて合成画像データを生成する場合は、「ＯＫ」を選択し、制御部５０は、この操作に応じてステップＳ１１に進む。
【００５３】
（ステップＳ１０：表示画像消去）
制御部５０は、表示画像を消去して、ステップＳ０４に戻り、再び第１小領域Ａ１にスルー画を表示させる（図４（ａ）参照）。撮影者は、このスルー画に基づいて、再び撮影（撮り直し）を行う。
【００５４】
（ステップＳ１１：画像編集可否決定）
ここで、合成画像データは、すべての小領域Ａ１〜Ａ４に撮影済み画像が表示されていなくても生成することができるようになっている。制御部５０は、表示部４０に表示された画像に基づいて、合成画像データを生成するか否かを選択させる表示（例えば、「画像合成する／しない」等）を表示部４０に表示させる。
撮影者等は、合成画像データを生成する場合には、「画像合成する」を選択し、制御部５０は、この操作に応じて、ステップＳ１２進む。
これに対し、この時点で画像を合成しない場合、撮影者は、「画像合成しない」を選択し、制御部５０は、この操作に応じてステップＳ１３に進む。
【００５５】
（ステップＳ１２：合成画像データ生成・記録）
制御部５０は、画像処理部５３が表示部４０に表示された表示画像（図４（ａ）参照）に基づいて合成画像データを生成し、この合成画像データを記録部２０に記録してステップＳ１３に進む。この場合、第２〜４小領域Ａ２〜Ａ４には、画像が表示されていないので、第２〜４小領域Ａ２〜Ａ４がブランクのままの画像が合成画像データとして記録される。ただし、ブランクの領域に撮影済みの画像データを追加して、合成画像データを更新することは、可能である。
【００５６】
（ステップＳ１３：撮影継続可否決定）
制御部５０は、引き続き第２小領域Ａ２に表示される画像を撮影するか否かを選択させる表示（例えば、「撮影継続する／しない」等）を表示部４０に表示させ、撮影者等は、撮影を継続するか否かを決定する。
撮影者は、撮影を継続しない場合は、「撮影継続しない」を選択し、制御部５０は、この操作に応じて、処理を終了（ＥＮＤ）し、例えば、電源オフ制御を行う。
これに対し、撮影者は、撮影を継続する場合は、「撮影継続する」を選択し、制御部５０は、この操作に応じて、ステップＳ１４に進む。
【００５７】
（ステップＳ１４：小領域の空き判定）
制御部５０は、ブランクの（空いている）小領域があるか否かを判定する。ブランクの小領域がある場合、制御部５０は、ステップＳ１５に進む。これに対し、第１〜４小領域Ａ１〜Ａ４のすべてに撮影済み画像が表示されている場合には、制御部５０は、ステップＳ１６に進む。
【００５８】
（ステップＳ１５：表示小領域変更）
制御部５０は、画像を表示する小領域をブランクの小領域に変更してステップＳ０４に戻る。このデジタルカメラ１では、制御部５０は、第１小領域Ａ１、第２小領域Ａ２、第３小領域Ａ３、第４小領域Ａ４の順番で小領域を使用するようになっている。図４（ａ）に示すように、第１小領域Ａ１で撮影を行った後は、制御部５０は、第２小領域Ａ２を使用して撮影を行うように表示制御部５２を制御する。
したがって、制御部５０は、第１小領域Ａ１を使用して撮影を行った後は、ステップＳ０４に戻って第２小領域Ａ２に新たなスルー画が表示され、以下同様の処理が繰り返えされる。
【００５９】
（ステップＳ１６：合成画像データ生成・記録）
すべての小領域に画像が表示されている場合、制御部５０は、強制的に合成画像データを生成し、これを記録部２０に記録する。
この後、制御部５０は、ステップＳ０２に戻り、すべての小領域がブランクとなっている新たなレイアウトパターンを表示部４０に表示させ、以下、同様の処理を繰り返す。
【００６０】
以上説明した実施形態のデジタルカメラ１によれば、以下の効果を得ることができる。
（１）実施形態のデジタルカメラ１は、表示部４０にスルー画と同時に撮影済み画像を表示させることができるので、撮影時の面白みが向上する。
（２）小領域のレイアウトパターンが複数種類、選択可能に用意されているので、撮影者は、スルー画や撮影済みの画像の表示パターンを好みに応じて変えることができ、さらに撮影時の面白みが向上する。
（３）レイアウトパターンを追加して作成できるので、撮影者の好みに応じた合成画像データを生成することができる。また、小領域の形状、数等に制限がないので、レイアウトパターン生成時の面白みも向上する。
（４）複数の撮影済み画像が組み合わされて形成された編集画像を、例えば、パーソナルコンピュータ（ＰＣ）等に備えられた画像編集用ソフトウェアを用いることなく、デジタルカメラ１によって生成することができるので便利である。また、本実施形態のように、小領域の形状が表示部４０のワンフレームと相似形（長方形）でない場合、ＰＣ上でこのような小領域に合わせて画像をトリミングし、画像を貼り合わせる作業は非常に煩雑であるが、本実施形態のデジタルカメラ１では、画像のトリミングを容易に行うことができる。
（５）スルー画の表示位置を各小領域のなかから任意に選択できるので、撮影時の使い勝手がよい。
（６）すべての小領域に画像が表示されていなくても合成画像データを生成できるので、撮影を中断することができ、使い勝手がよい。
（７）合成画像データに含まれる個々の画像を他の画像に差し替えることができるので、例えば、第１〜第３小領域Ａ１〜Ａ３までは、共通の画像で、第４小領域Ａ４の画像だけ閲覧する人に応じて差し替えることができる。このように、バリエーションの合成画像データを生成できるので便利である。
（８）合成画像データに含まれる個々の画像データは、ノーマル表示モードで撮影した画像と同じパラメータを有するので、ノーマル表示モードでも表示部４０に表示できる。このように、マルチ表示モードで撮影された画像をマルチ表示モード専用にしないので、マルチ表示モードとノーマル表示モードとで重複して撮影を行う必要がなく、便利である。
（９）合成画像データに含まれる個々の画像データは、合成画像データとは別に独立した画像データとして記録部２０に記録されるので、合成画像データに含まれる画像の置き換えや、再編集を行う場合であっても、各画像データのクオリティの低下が防止される。
（１０）合成画像データには、これに含まれる各画像のデータが含まれ、かつ、合成画像データに含まれる各画像のデータは、それぞれレイアウトパターンに関するデータ等を含むので、合成画像データに含まれる画像の差し替え等を行う際の処理を高速化できる。
（１１）スルー画と併せて撮影済みの画像を表示部４０に表示できるので、フレーミング時にスルー画と撮影済み画像とを比較することができ、これによって、同じ構図の画像を重複して撮影することを防止できる。
（１２）複数の異なる画像をワンフレームに収めることができるので、例えば、野球の投球フォームや、ゴルフのスイング等の動作を、連続写真でワンフレーム内に表示できる。
【００６１】
［変形形態］
本発明は、以上説明した実施形態に限定されることなく、種々の変形や変更が可能であって、それらも本発明の技術的範囲内に含まれる。
（１）本発明のカメラの構成は、実施形態に記載したものに限らず適宜変形が可能である。例えば、実施形態のデジタルカメラにおいて、表示部には、各小領域間の境界線が表示されていたが、これに限らず、境界線を非表示としてもよい。また、実施形態において、境界線は、合成画像データに含まれるが、合成画像データは、境界線を含んでいなくてもよい。
（２）実施形態は、合成画像データに含まれる各画像を合成画像データとは別に記録部に記録したが、これに限らず、例えば、合成画像データに含まれる各画像は、単体では記録せず、また、合成画像データに含まれる各画像のうち、合成画像データに表示されない部分のデータは、破棄してもよい。この場合、記憶部の使用領域を低減できる。
【図面の簡単な説明】
【００６２】
【図１】実施形態のデジタルカメラの構成を示すブロック図である。
【図２】図１に示すデジタルカメラを背面側からみた平面図である。
【図３】図１に示すデジタルカメラに備えられた表示部に設定されるレイアウトパターンの例を示す図である。
【図４】図１に示すデジタルカメラに備えられた表示部の表示画面の例を示す図である。
【図５】図１に示すデジタルカメラによって合成画像データを生成する際の制御部の制御を示すフローチャートである。
【符号の説明】
【００６３】
１  カメラ  ：  １０  撮像部  ：  ２０  記録部  ：  ３０  操作部  ：  ４０  表示部  ：  ５０  制御部  ５１  画像データ生成部  ：  ５２  表示制御部  ：  ５３  画像処理部  ：  ５４  レイアウトパターン生成部  ：  ６０  パラメータ情報記録部  ：  ７０  レイアウトデータ記録部  ：  Ａ１〜Ａ４  第１〜第４小領域
【図１】
2008258745.tif 000003
【図２】
2008258745.tif 000004
【図３】
2008258745.tif 000005
【図４】
2008258745.tif 000006
【図５】
2008258745.tif 000007